Podtech/llm-jp-corpus-v4-ja_patent huggingface dataset:
(57)【要約】      （修正有）【課題】何時でも、又、如何なる場所でも貼り付けができ、コピー用紙に穴を開けることがなく、熱接着、閉じ具等による追加使用の手間も係らない接着剤付コピー用紙を提供する。【解決手段】コピー用紙裏面１の片端部に、貼り付け用の接着剤２を、下方向に向けて、細幅に塗布する。また、接着剤塗布部より内側に、接着剤と平行に、折りたたみ用の、折りたたみ線部３を形成する。ダブルコピー用紙においては、コピー用紙の中央部に、折りたたみ用の、折りたたみ線を２本形成し、その間に、接着剤を塗布する。【選択図】図２
0003214649.tif 000002
【実用新案登録請求の範囲】
【請求項１】
コピー用紙裏面の片端部に、貼り付け用の接着剤を、コピー用紙下方向に、細幅に接着剤を塗布する、接着剤を塗布された、接着剤付コピー用紙。
【請求項２】
コピー用紙裏面の片端部に、接着剤塗布部より内側に、コピー用紙下方向に塗布された、接着剤と平行に、折りたたみ用の、折りたたみ線部を形成する、接着剤付コピ用紙。
【考案の詳細な説明】
【技術分野】
【０００１】  コピー用紙に貼り付け用の接着剤を塗布された、コピー用紙に関する。
【背景技術】
【０００２】  コピー用紙に貼り付け用の接着剤を塗布した、コピー用紙である。
【考案の概要】
【考案が解決しようとする課題】
【０００３】  コピー用紙は、コピー用紙を、ホッチキス、ビョウ、紐、等の専用具にて閉じている。【０００４】  コピー用紙は、コピー用紙に、取り付け具用の２穴、又は、２６穴等がを成型されいいる。【０００５】  コピー用紙は、上記の手段にて閉じてある、よつて、各専用具が必要である。
【考案が解決するための手段】
【０００６】  コピー用紙裏面の片端部に、貼り付け用の接着剤を、コピー用紙下方向に、細幅に接着剤を塗布する。
【０００７】  コピー用紙裏面の片端部に、接着剤塗布部より内側に、コピー用紙下方向に塗布された、接着剤と平行に、折りたたみ用の、折りたたみ線部を形成する。
【０００８】  コピー用紙の接着剤を塗布された塗布面が、使用前に他のものに張り付かないように、セパレート紙を貼り付ける。
【０００９】  コピー用紙の中央部に、折りたたみ用の、折りたたみ線を２本形成する、さらに、２本線の間に、貼り付け用の接着剤を塗布する、ダブルコピー用紙に用いる。
【００１０】  本考案の手段において、接着剤を用いて、自由に何時でも、接着着剤にて、貼り付けて使用することができる。
【００１１】  本考案の手段において、接着剤を、両面貼り付けテープを使用することもある。
【考案の効果】
【００１２】  本考案の接着剤付コピー用紙は接着剤にて、何時何時でも、又、如何なる場所でも貼り付けができ、さらに、追加貼り付けが出来る。
【００１３】  本考案の接着剤付コピー用紙は、従来のコピー用紙のように、コピー用紙に穴を開けることがない。
【００１４】  従来のように、熱接着、または、閉じ具等による追加使用の手間が係らない。
【００１５】  本考案の接着剤付コピー用紙は自由に貼り付けする事が出来る。
【考案の実施するための形態】
【００１６】  本考案の実施の形態を図面を参照しながら詳細に説明する。なお、以下の説明にあたって、同一構成要件については、同一符号を付けて、重複した説明を省略する。
【００１７】  コピー用紙裏面１の片端部に、貼り付け用の接着剤を、コピー用紙下方向に、細幅に接着剤２を塗布する。
【００１８】  コピー用紙裏面１の片端部に、接着剤塗布部２より内側に、コピー用紙下方向に接着剤と平行に、折りたたみ用の、折りたたみ線部３を形成する。
【００１９】  コピー用紙の中央部に、折りたたみ用の、折りたたみ線を２本形成３する、さらに、２本線３の間に、接着剤２を塗布する、ダブルコピー用紙に用いる。
【００２０】  本考案の手段において、接着剤を用いて、自由に何時でも、接着着剤にて、貼り付けて使用することができる。
【００２１】  本考案の手段において、接着剤を、両面貼り付けテープを使用することもある
【００２２】  コピー用紙の接着剤を塗布された塗布面が、使用前に他のものに貼りつかないように、セパレート紙を貼り付ける
【００２３】  本考案の実施形態において、接着剤を用いて、自由に何時でも、接着着剤にて、貼り付けて使用することができる。
【００２４】  折りたたみ接着部３形成部において、折りたたみが自由に出来る。
【図面の簡単な説明】
【図１】  コピー用紙の裏面片端部、接着剤塗布部平面図。
【図２】  コピー用紙の、折りたたみ線部平面図。
【図３】  ダブルコピー用紙の平面説明図。
【符号の説明】      １  コピー用紙の裏面。
２  接着剤塗布部。
３  折りたたみ用、折りたたみ線。
【図１】
0003214649.tif 000003
【図２】
0003214649.tif 000004
【図３】
0003214649.tif 000005
(57)【要約】      （修正有）【課題】湯戻り時間が短く、炊き立ての優れた食感を有する米飯となり、かつ保存性に優れたアルファ米とすることができ、調理法が簡単で、効果が明確な米粒の収納袋を提供する。【解決手段】通常の紙製または布製またはプラスチック製の米粒の収納袋１２に、３２〜３８テラヘルツの共鳴電磁波を照射し、収納袋自体を、共鳴電磁波の転写放射体とし、収納袋から放射される転写共鳴電磁波１４の共振作用で、収納袋に入っている米粒のでんぷん質１１の水素結合を分断し、アルファ米とする。【選択図】図２
0003214641.tif 000002
【実用新案登録請求の範囲】
【請求項１】
３２〜３８テラヘルツの共鳴電磁波を、２〜１２時間、２０℃〜９０℃の温度条件下で、紙製または布製またはプラスチック製の収容袋に照射することで、当該収容袋自体を当該共鳴電磁波の転写放射体とすることを特徴とする米粒の収容袋。
【考案の詳細な説明】
【技術分野】
【０００１】  本考案は、３２〜３８テラヘルツの共鳴電磁波を、外部に放射することを特徴とするアルファ米の製造用の米粒の収納袋に関するものである。
【背景技術】
【０００２】  近年、湯戻り時間が短く、炊き立ての優れた食感を有する米飯となり、かつ保存性に優れたアルファ米が開発されている。
【特許文献１】特開２００３−２８４５１３
【特許文献２】特許平０７−０３１３８９
【考案の概要】
【考案が解決しようとする課題】
【０００３】  近年、湯戻り時間が短く、炊き立ての優れた食感を有する米飯となり、かつ保存性に優れたアルファ米が開発されている。しかし、加工処理が煩雑であったり、混ぜ物をする必要があるものがほとんどで、有効性が問題になっている。
【課題を解決するための手段】
【０００４】  このような課題を解決すために、本考案者は、３２〜３８テラヘルツの共鳴電磁波を、２〜１２時間、２０℃〜９０℃の温度条件下で、紙製または布製またはプラスチック製の米粒の収納袋に照射することで、当該収納袋自体が当該共鳴電磁波の転写放射体となり、当該収納袋に入れた米粒が、湯戻り時間が短く、炊き立ての優れた食感を有する米飯となり、かつ保存性に優れたアルファ米となることを見出し、本考案をなすに至った。【０００５】  すなわち、上記課題を解決するために本発明では、３２〜３８テラヘルツの共鳴電磁波を放射する物質と、紙製または布製またはプラスチック製の米粒の収納袋を近接させ、２０℃〜９０℃の温度条件下で、２〜１２時間放置し、当該共鳴電磁波の放射体から発射される電磁波を、共振作用により、当該収納袋に転写し、当該収納袋自体を当該共鳴電磁波の放射体とする。【０００６】  当該収納袋自体を共鳴電磁波の放射体とすることで、当該収納袋から放射される３２〜３８テラヘルツの共鳴電磁波を、当該収納袋にいれた米粒に照射することができ、米粒のでんぷん質の水素結合を分断し、当該米粒をアルファ米にする。
【考案の効果】
【０００７】  本考案によれば、効果が明確で、効果の持続性の高い３２〜３８テラヘルツの共鳴電磁波を放射するアルファ米の製造用の米粒の収納袋を低コストで、大量に提供できる。【０００８】  また、本考案によるアルファ米の製造用の米粒の収納袋から照射される３２〜３８テラヘルツの共鳴電磁波は、当該収納袋に入れた米粒のでんぷん質の水素結合を共振励起し、当該水素結合を分離する。湯戻り時間が短く、炊き立ての優れた食感を有する米飯となり、かつ保存性に優れたアルファ米となる。
【考案を実施するための形態】
【０００９】  以下、本考案の実施形態について図面を参照しながら詳細に説明する。
図１は、本考案のアルファ米の製造用の米粒の収納袋の製造方法の正面図を示す。
図２は、本考案のアルファ米の製造用の米粒の収納袋の作用概念を示す。
【００１０】  図１に示すように、共鳴電磁波放射シート１の上に、米粒の収納袋２を密着させて置き当該シート１から放射される３２〜３８テラヘルツの共鳴電磁波４を、当該収納袋２に２〜１２時間照射する。
【００１１】  当該共鳴電磁波放射シート１の下には２０℃〜９０℃の温度調節が可能なヒーター３が設けられていて、３２〜３８テラヘルツの共鳴電磁波４を、当該収納袋２に効率良く照射できる。
【００１２】  図２に示すように、当該共鳴電磁波４を、２０℃〜９０℃の温度条件下で、２〜１２時間照射されたアルファ米の製造用の米粒の収納袋１２に米粒１３を入れると、当該収納袋から放射される転写共鳴電磁波１４が米粒１３に照射され、米粒１３のでんぷん質１１の水素結合が共振励起し、分断されアルファ米になる。
【実施例】
【００１３】  数多くの人に、本考案によるアルファ米を炊いて試食してもらったところ、下記の回答が、多く得られた。
＊炊き上がりに必要な時間が１５％程度短くなった。
＊炊き上がりのご飯がおいしくなった。
＊冷めても、糊のように固まらず、おいしく食べられた。
【産業上の利用可能な分野】
【００１４】  本考案は、一般家庭用ばかりでなく、外食産業やお弁当産業等に積極的に利用できる。
【図面の簡単な説明】
【００１５】
【図１】は、本考案のアルファ米の製造用の米粒の収納袋の製造方法の正面図を示す。
【図２】は、本考案のアルファ米の製造用の米粒の収納袋の作用概念を示す。
【符号の説明】
【００１６】１    共鳴電磁波放射シート
２    米粒の収納袋
３    ヒーター
４    共鳴電磁波
１１  米粒のでんぷん質
１２  アルファ米の製造用の米粒の収納袋
１３  米粒
１４  転写共鳴電磁波
【図１】
0003214641.tif 000003
【図２】
0003214641.tif 000004
(57)【要約】      （修正有）【課題】日本国内において保安部品の不足のため公道を走行不可能な車両に対して、保安部品の不足を解消し公道を走行可能にする公道走行合法化装置を提供する。【解決手段】前照灯、クラクション、前後方向指示器、ナンバー灯を含む尾灯とそれぞれの操作スイッチ等の制御装置の組み合わせで構成されており、任意の車両に取り付けることで保安部品の不足を解消し公道を走行可能にすることができる。【選択図】図１
0003214636.tif 000002
【実用新案登録請求の範囲】
【請求項１】
任意の車両に取り付けることで保安部品の不足を解消し公道を走行可能にすることができる公道走行合法化装置。
【考案の詳細な説明】
【技術分野】
【０００１】  本考案は日本国内において保安部品の不足のため公道を走行不可能な車両があり、それらに取り付けることで保安部品の不足を解消し公道を走行可能にする道具に関する。
【技術背景】
【０００２】  世間には人が搭乗し走行が可能な車両が数多くあるが、日本国内において保安部品が不足しているために公道の走行が不可能なものが多数ある。また日本国内での走行可能な車両に関しては保安部品の装備が前提のため、保安部品を取り付けるということ自体が無い。
【考案が解決しようとする課題】
【０００３】  日本国内において保安部品が不足しているために公道の走行が不可能な車両などに対応した、保安部品をまとめて取り付けるためのユニット化された装置が無かった。したがって車両に不足した保安部品を個別に調達し、取り付け調整するなどの非常に困難で煩雑な作業が必須という不具合が生じる。
【課題を解決するための手段】
【０００４】  日本国内において公道走行を可能にするためのユニット化された保安部品を車両の本来設置されているバッテリー、または別途保安部品の作動専用に設置したバッテリーに接続することで保安部品を追加、作動させる構造を有したもの。この構造により上記の課題を解決する手段とする。
【考案の効果】
【０００５】  保安部品が不足しているため保安部品を装備し作動させる構造を有していない車両が多数存在する。そのため日本国内の公道走行が不可能であった。
【考案を実施するための最良の形態】
【０００６】  日本国内の公道で走行するにあたり不足している保安部品を任意の対象車両に設置し、作動させる構造を有したもの。
【図面の簡単な説明】
【０００７】
【図１】  全体図
【図１】
0003214636.tif 000003
【手続補正書】
【提出日】平成29年11月7日(2017.11.7)
【手続補正１】
【補正対象書類名】実用新案登録請求の範囲
【補正対象項目名】全文
【補正方法】変更
【補正の内容】
【実用新案登録請求の範囲】
【請求項１】
本考案は前照灯、クラクション、前後方向指示器、ナンバー灯を含む尾灯とそれぞれの操作スイッチ等の制御装置の組み合わせで構成されており、任意の車両に取り付けることで保安部品の不足を解消し公道を走行可能にすることができる公道走行合法化装置。
(57)【要約】      （修正有）【課題】水中において最良の水力を得ることが出来る水車を提供する。【解決手段】羽根２と羽根２との間に羽根止め棒５を取り付けた棒にワツシャー３を付けて羽根２と羽根２との間隔を広くした水車１である。【選択図】図１
0003214632.tif 000002
【実用新案登録請求の範囲】
【請求項１】
羽根と羽根との間隔を広くした物（例としてワツシャー）を取り付けた水車。
【考案の詳細な説明】
【考案の概要】
【考案が解決しようとする課題】
【０００１】  水中において水車羽根に最良の水力を得る。【０００２】  水上で羽根を折りたたむ。
【考案の効果】
【０００３】  河川で効率良く水車を回転することが出来る。
【考案を実施するための形態】
【０００４】  以下、本案の実施例について説明する、図１に基づいて一対の円形の部材に、羽根の支点、羽根止め棒を取り付け羽根が自由に動くようにする、又、羽根と羽根との間隔を広くする物（例としてワツシャー）を取り付ける。
【図面の簡単な説明】
【０００５】
【図１】  水車の正面図
【符号の説明】
【０００６】  １  水車    ２  羽根    ３  ワツシャー    ４  羽根の支点    ５  羽根止め棒
【図１】
0003214632.tif 000003
【手続補正書】
【提出日】平成29年11月2日(2017.11.2)
【手続補正１】
【補正対象書類名】実用新案登録請求の範囲
【補正対象項目名】全文
【補正方法】変更
【補正の内容】
【実用新案登録請求の範囲】
【請求項１】
羽根と羽根との間に羽根止め棒を取り付けた棒にワツシャーを付けて羽根と羽根との間隔を広くした水車。
(57)【要約】      （修正有）【課題】電磁波障害を軽減でき、携帯電話のバッテリー機能を改善できる機能性携帯電話用液晶保護フィルムを提供する。【解決手段】透明プラスチックフィルムに３２〜３８テラヘルツの共鳴電磁波１４を照射し、当該フィルムに当該共鳴電磁波放射する機能を転写することで、当該フィルム１２自体を、当該共鳴電磁波の転写放射体とする。【選択図】図２
0003214639.tif 000002
【実用新案登録請求の範囲】
【請求項１】
３２〜３８テラヘルツの共鳴電磁波を、２〜１２時間、２０℃〜９０℃の温度条件下で、携帯電話用液晶保護フィルムに照射することで、携帯電話用液晶保護自体を当該共鳴電磁波の転写放射体とすることを特徴とする携帯電話用液晶保護フィルム。
【考案の詳細な説明】
【技術分野】
【０００１】本考案は、３２〜３８テラヘルツの共鳴電磁波を、携帯電話本体に放射することを特徴とする、有害電磁波の遮蔽やバッテリーの機能改善を目的とした機能性携帯電話用液晶保護フィルムに関するものである。
【背景技術】
【０００２】近年、携帯電話の有害電磁波を遮蔽する透明フィルムが開発されている。【０００３】また、携帯電話のバッテリーの寿命を延長する方法も提案されている。
【特許文献１】特開２００９−０２１３３４
【特許文献２】特許２０１３−２５１３５６
【特許文献３】特表２０１４−５６８４３４
【考案の概要】
【考案が解決しようとする課題】
【０００４】近年、携帯電話の普及とともに、携帯電話から発生される有害電磁波による健康被害が問題になっている。【０００５】また、スマートフォンの普及とともに、バッテリーの使用可能時間が短いという問題も出ている。
【課題を解決するための手段】
【０００６】このような課題を解決するために、本考案者は、３２〜３８テラヘルツの共鳴電磁波を、２〜１２時間、２０℃〜９０℃の温度条件下で、透明プラスチックフィルムに照射することで、当該フィルム自体が当該共鳴電磁波の転写放射体となり、自らが当該共鳴電磁波の発射体となり、照射されるものの電子の動きを円滑にすることを見出し、本考案をなすに至った。【０００７】すなわち、上記課題を解決するために本発明では、３２〜３８テラヘルツの共鳴電磁波を放射する物質と、透明プラスチックフィルムを近接させ、２０℃〜９０℃の温度条件下で、２〜１２時間放置し、当該共鳴電磁波の放射体から発射される電磁波を、共振作用により、当該透明プラスチックフィルムに転写し、当該透明プラスチックフィル自体を当該共鳴電磁波の放射体とする。【０００８】透明プラスチックフィルム自体を共鳴電磁波の放射体とすることで、当該フィルムから放射される３２〜３８テラヘルツの共鳴電磁波で、携帯電話の電子の動きを円滑にすることができ、電磁波に乗っているノイズを軽減することで電磁波障害をふせぐことができる。【０００９】また当該フィルムから放射される共鳴電磁波の還元作用により、バッテリーの寿命延長や放電時間の延長や充電時間の短縮といったバッテリーの機能改善をすることができる。
【考案の効果】
【００１０】本考案によれば、効果が明確で、効果の持続性の高い３２〜３８テラヘルツの共鳴電磁波を放射する機能性携帯電話用液晶保護フィルムを低コストで、大量に提供できる。【００１１】機能性携帯電話用液晶保護フィルムから放射される３２〜３８テラヘルツの共鳴電磁波で、電子の動きを円滑にすることができるため、電磁波に乗っているノイズを軽減することで電磁波障害をふせぐことができる。【００１２】また機能性携帯電話用液晶保護フィルムから放射される共鳴電磁波の還元作用により、携帯電話のバッテリーの寿命延長や使用可能時間の延長や充電時間の短縮といったバッテリーの機能改善をすることができる。
【考案を実施するための形態】
【００１３】以下、本考案の実施形態について図面を参照しながら詳細に説明する。
図１は、本考案の機能性携帯電話用液晶保護フィルムの製造方法の側面図を示す。
図２は、本考案の機能性携帯電話用液晶保護フィルムの作用概念を示す。
【００１４】  図１に示すように、共鳴電磁波放射シート１の上に、透明プラスチックフィルム２密着させて置き当該シート１から放射される３２〜３８テラヘルツの共鳴電磁波４を、当該透明プラスチックフィルム２に２〜１２時間照射する。
【００１５】当該共鳴電磁波放射シート１の下には２０℃〜９０℃の温度調節が可能なヒーター３が設けられていて、３２〜３８テラヘルツの共鳴電磁波４を当該透明プラスチックフィルム２に効率良く照射できる。
【００１６】図２に示すように、当該透明プラスチックフィルム２に、３２〜３８テラヘルツの共鳴電磁波を、２０℃〜９０℃の温度条件下で、２〜１２時間照射した機能性携帯電話用液晶保護フィルム１２を、携帯電話１１の液晶１５の表面に貼り付けると、当該フィルムから、３２〜３８テラヘルツの転写共鳴電磁波が放射される。
【００１７】図２のように、当該フィルム１２から放射された転写共鳴電磁波１４は、その還元作用で、携帯電話１１のバッテリー１３の放電時間を長くし、充電時間を短縮し、バッテリー寿命を延長するというバッテリーの機能改善を行う。
【００１８】  また、機能性携帯電話用液晶保護フィルム１２から放射される転写共鳴電磁波１４は、携帯電話の電磁波にのった細かいノイズを軽減することができ、電磁波による健康障害を軽減できる。
【実施例】
【００１９】  いろいろなテストを通して、本考案の機能性携帯電話用液晶保護フィルムについて、下記の効果が確認されている。
＊古い携帯電話に機能性携帯電話用液晶保護フィルムを貼り付けることにより、充放電  を繰り返すうちに、バッテリー機能が新品の状態まで復活した。
＊機能性携帯電話用液晶保護フィルムを携帯電話に貼り付けると、携帯電話の使用可能  時間がのびた。
＊機能性携帯電話用液晶保護フィルムを携帯電話に貼り付けると、携帯電話の充電時間  が短くなった。
【産業上の利用可能な分野】
【００２０】  本考案の機能性携帯電話用液晶保護フィルムは、携帯電話用としてばかりでなく、タブレット端末やラップトップ型コンピューター等にも利用できる。
【図面の簡単な説明】
【００２１】
【図１】は、本考案の機能性携帯電話用液晶保護フィルムの製造方法の側面図を示す。
【図２】は、本考案の機能性携帯電話用液晶保護フィルムの作用概念を示す。
【符号の説明】
【００２２】  １    共鳴電磁波放射シート
２    透明プラスチックフィルム
３    ヒーター
４    共鳴電磁波
１１  携帯電話
１２  機能性携帯電話用液晶保護フィルム
１３  バッテリー
１４  転写共鳴電磁波
１５  液晶
１６  電磁波
【図１】
0003214639.tif 000003
【図２】
0003214639.tif 000004
(57)【要約】      （修正有）【課題】電磁波障害を軽減でき、スマートフォンのバッテリー機能を改善できる機能性スマートフォンケースを提供する。【解決手段】布製またはプラスチック製または革製のスマートフォンケースに、３２〜３８テラヘルツの共鳴電磁波１４を照射し、当該スマートフォンケースに当該共鳴電磁波放射する機能を転写することで、当該スマートフォンケース１２自体を、当該共鳴電磁波の転写放射体とする。【選択図】図２
0003214640.tif 000002
【実用新案登録請求の範囲】
【請求項１】
３２〜３８テラヘルツの共鳴電磁波を、２〜１２時間、２０℃〜９０℃の温度条件下で、スマートフォン用ケースに照射することで、スマートフォンケース自体を当該共鳴電磁波の転写放射体とすることを特徴とする機能性スマートフォンケース。
【考案の詳細な説明】
【技術分野】
【０００１】  本考案は、３２〜３８テラヘルツの共鳴電磁波を、スマートフォンの有害電磁波の遮蔽  やバッテリーの機能改善を目的として、
スマートフォン本体に放射することを特徴とする、機能性スマートフォンケースに関するものである。
【背景技術】
【０００２】  近年、携帯電話やスマートフォンの電磁波を遮蔽する透明フィルムが開発されている。【０００３】  また、スマートフォンが普及し、スマートフォンのバッテリーの使用可能時間が短いこ  とが問題になり、バッテリーの寿命を延長する方法も提案されている。
【特許文献１】特開２００９−０２１３３４
【特許文献２】特許２０１３−２５１３５６
【特許文献３】特表２０１４−５６８４３４
【考案の概要】
【考案が解決しようとする課題】
【０００４】  近年、携帯電話やスマートフォンの普及とともに、携帯電話やスマートフォンから発生される有害電磁波による健康被害が問題になっている。【０００５】  また、スマートフォンの普及とともに、バッテリーの使用可能時間が短い、特に古くなったスマートフォンのバッテリーの使用可能時間が短いという問題が出ている。
【課題を解決するための手段】
【０００６】  このような課題を解決するために、本考案者は、３２〜３８テラヘルツの共鳴電磁波を、２〜１２時間、２０℃〜９０℃の温度条件下で、布製またはプラスチック製または革製のスマートフォンケースに照射することで、当該ケース自体が当該共鳴電磁波の転写放射体となり、自らが当該共鳴電磁波の発射体となることを見出し、本考案をなすに至った。【０００７】  すなわち、上記課題を解決するために本発明では、３２〜３８テラヘルツの共鳴電磁波を放射する物質と、布製またはプラスチック製または革製のスマートフォンケースを近接させ、２０℃〜９０℃の温度条件下で、２〜１２時間放置し、当該共鳴電磁波の放射体から発射される電磁波を、共振作用により、当該スマートフォンケースに転写し、当該スマートフォンケース自体を当該共鳴電磁波の放射体とする。【０００８】  スマートフォンケース自体を共鳴電磁波の放射体とすることで、当該スマートフォンケースから放射される３２〜３８テラヘルツの共鳴電磁波で、電子の動きを円滑にすることができ、電磁波に乗っているノイズを軽減することで電磁波障害をふせぐことができる。【０００９】  スマートフォンケース自体を共鳴電磁波の放射体とすることで、当該スマートフォンケースから放射される３２〜３８テラヘルツの共鳴電磁波で、スマートフォン自体の電子の動きを円滑にすることができ、当該スマートフォンケースから放射される共鳴電磁波の還元作用により、スマートフォンのバッテリーの寿命延長や放電時間の延長や充電時間の短縮といったバッテリーの機能改善をすることができる。
【考案の効果】
【００１０】  本考案によれば、効果が明確で、効果の持続性の高い３２〜３８テラヘルツの共鳴電磁波を放射する機能性スマートフォンケースを低コストで、大量に提供できる。【００１１】  機能性スマートフォンケースから放射される３２〜３８テラヘルツの共鳴電磁波で、スマートフォン自体の電子の動きを円滑にすることができるため、スマートフォンの電磁波に乗っているノイズを軽減することで電磁波障害をふせぐことができる。【００１２】  また機能性スマートフォンケースから放射される共鳴電磁波の還元作用により、スマートフォンのバッテリーの寿命延長や放電時間の延長や充電時間の短縮といったバッテリーの機能改善をすることができる。
【考案を実施するための形態】
【００１３】  以下、本考案の実施形態について図面を参照しながら詳細に説明する。
図１は、本考案の機能性スマートフォンケースの製造方法の側面図を示す。
図２は、本考案の機能性スマートフォンケースの作用概念を示す。
【００１４】  図１に示すように、共鳴電磁波放射シート１の上に、スマートフォンケース２を密着させて置き当該シート１から放射される３２〜３８テラヘルツの共鳴電磁波４を、当該スマートフォンケース２に２〜１２時間照射する。
【００１５】  当該共鳴電磁波放射シート１の下には２０℃〜９０℃の温度調節が可能なヒーター３が設けられていて、３２〜３８テラヘルツの共鳴電磁波４を当該スマートフォンケース２に効率良く照射できる。
【００１６】  図２に示すように、当該スマートフォンケース２を、２０℃〜９０℃の温度条件下で、２〜１２時間照射された機能性スマートフォンケース１２にスマートフォン１１を収納すると、当該機能性スマートフォンケースから、３２〜３８テラヘルツの転写共鳴電磁波が、当該スマートフォン１１に放射される。
【００１７】  図２のように、当該機能性スマートフォンケース１２から放射された転写共鳴電磁波１４は、その還元作用で、スマートフォン１１のバッテリー１３の放電時間を長くし、充電時間を短縮し、バッテリー寿命を延長するというバッテリーの機能改善を行う。
【００１８】  また、機能性スマートフォンケース１２から放射される転写共鳴電磁波１４は、スマートフォンの電磁波にのった細かいノイズを軽減することができ、電磁波による健康障害を軽減できる。
【実施例】
【００１９】  いろいろなテストを通して、本考案の機能性スマートフォンケースについて、下記の効果が確認されている。
＊古いスマートフォンを機能性スマートフォンケースに収納することにより、充放電を  繰り返すうちに、バッテリー機能が復活した。
＊機能性スマートフォンケースにスマートフォンを収納すると、スマートフォンの使用  可能時間がのびた。
＊機能性スマートフォンケースにスマートフォンを収納する、スマートフォンの充電時  間が短くなった。
【産業上の利用可能な分野】
【００２０】  本考案の機能性スマートフォケースーは、スマートフォン用としてばかりでなく、タブレット端末やラップトップ型コンピューターのケース等にも利用できる。
【図面の簡単な説明】
【００２１】
【図１】は、本考案の機能性スマートフォンケースの製造方法の側面図を示す。
【図２】は、本考案の機能性スマートフォンケースの作用概念を示す。
【符号の説明】
【００２２】１    共鳴電磁波放射シート
２    スマートフォンケース
３    ヒーター
４    共鳴電磁波
１１  スマートフォン
１２  機能性スマートフォンケース
１３  バッテリー
１４  転写共鳴電磁波
１５  電磁波
【図１】
0003214640.tif 000003
【図２】
0003214640.tif 000004
(57)【要約】【課題】一定数のセムクリップをケース内にまとまった状態を保持しつつ携行できるペンケースを提供する。【解決手段】本体１の内面に磁石２が装着されていて、磁石２の磁力により、複数のスチール製ゼムクリップ３をペンケース内にまとめて携行することができる。  また、磁石２の磁力が、ペンケース本体１の外面に着接する鉄製品に対しても有効に作用し、スチール製ゼムクリップ２をペンケース本体１の外面に付着させることが可能であって、磁石２が装着された位置の外面を一時的なクリップホルダーとして使用することできる。【選択図】図３
0003214663.tif 000002
【実用新案登録請求の範囲】
【請求項１】
携帯用ペンケースであって、
本体内面に磁石が装着されていることを特徴とするペンケース。
【考案の詳細な説明】
【技術分野】
【０００１】
本考案は、スチール製のゼムクリップの携行機能を備えたペンケースに関する。
【背景技術】
【０００２】
事務用品として多く使用されている複数のスチール製ゼムクリップを、ペンケースとともに携行する場合、一般的に、次の方法がとられている。
（１）ペンケースとは別に、ゼムクリップをケースごと携行する
（２）ゼムクリップを直接ペンケースに入れて携行する。
（３）ペンケースとは別に、ゼムクリップを直接ポケットに入れて携行する。
【考案の概要】
【考案が解決しようとする課題】
【０００３】
上述したゼムクリップの携行方法は、それぞれ、以下の問題がある。
（１）の場合、少量のゼムクリップを携行したいときにはケースが嵩張り、邪魔になる。また、デスクで使用しているクリップ入れを携行のために持ち出すと、デスクに残すゼムクリップのため、別の入れ物が必要となる。
（２）の場合、ペンケースの中でゼムクリップが散乱する。また、携行するゼムクリップが少量の場合、ペンケースの中の他の事務用品に紛れて見つけにくいうえ、取り出しにくい。さらに、バラけているため、同時に複数本を取り出しにくい。
（３）の場合、ポケットからの出し入れが煩わしい。特に、他の混在物があると取り出しにくい。また、使用先で、一旦取り出したゼムクリップの置き場所がない。さらに、使用後、ポケットに残ったゼムクリップの存在を忘れやすい。
【０００４】
上述の問題に鑑み、本考案では、一定数のセムクリップをケース内にまとまった状態を保持しつつ携行できるペンケースを提供することを課題とする。
【課題を解決するための手段】
【０００５】
上記課題を解決するために、請求項１に係るペンケースは、本体内面に磁石が装着されていて、前記磁石の磁力により、複数のスチール製ゼムクリップをまとめて携行することが可能であることを特徴とする。
【０００６】
前記ペンケースは、前記内面に装着された磁石の磁力が、前記ペンケースの外面に着接する鉄製品に対しても有効に作用し、スチール製ゼムクリップを前記ペンケースの外面に付着させることが可能であることを特徴とする。
【考案の効果】
【０００７】
本考案に係るペンケースを使用することにより、携行するゼムクリップの入れ物を別途用意する必要がなくなり、一定数のゼムクリップを散乱させず、まとまった状態で携行することが可能となる。
【０００８】
ペンケース内面に装着された磁石の磁力は、本体壁を通して外面に付着する鉄製品に対しても有効に作用するため、磁石が装着された位置の外面を一時的なクリップホルダーとして使用することが可能となる。
【図面の簡単な説明】
【０００９】
【図１】本実施形態のペンケースの外観図である。
【図２】磁石の装着位置を示すペンケース内部の写真である。
【図３】磁石にゼムクリップを付着させた状態のペンケース内部の写真である。
【図４】ペンケース使用時の収納物とゼムクリップとの位置関係を示す写真である。
【図５】ペンケースをクリップホルダーとして使用したときの状態を示す写真である
【考案を実施するための形態】
【００１０】
以下、本実施形態のペンケースの構成と使用例について図を用いて説明する。
本実施形態のペンケースは、図１に示すように、ファスナー５によって開閉を行うソフトケースであって、本体１の内面の長手方向端部に薄型の磁石２が装着されている。
【００１１】
請求項１又は２記載のペンケースは、磁石２の装着位置を特定するものではない。しかしながら、装着位置を中央部近辺とした場合は、（１）磁石２の嵩が他の収容物のスペースを奪う、（２）磁石に付いたゼムクリップ３が携行中、他の収容物４との接触によってばらけ易い、（３）鉄製の収容物がある場合、磁気帯び等の影響を受けやすい、等の理由により、本実施形態においては、図２及び３に示すように、他の収容物４との接触が最も小さい場所であるケース内端部とした。図４は、本実施形態のペンケースに、ペンや鋏等の収容物とともにゼムクリップ３を配置した状態を示すものである。図に示すように、磁石２及びゼムクリップ３と収納物４とのすみ分けができるためゼムクリップ３がばらけにくく、物理的にも磁場的にも磁石２が他の収納物４に与える影響を最小限に抑えることが可能となる。
【００１２】
また、本実施形態では、請求項２に記載したように、ペンケース外側にも磁力が届く程度の厚さの生地を採用しており、使用先ではペンケース外側の、磁石２が装着された位置を一時的なクリップホルダーとして使用することも可能である（図５）。
【００１３】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することが可能である。例えば、本実施形態では、ペンケース本体１ケースはファスナー式のソフトタイプを採用したが、上蓋式の直方体のハードケースとすることもできる。この場合には、磁石を上蓋の裏側に装着することも可能である。また、磁石の形状や材質も薄厚の硬材の他にも、布生地に磁気物を内包させた軟材とすることもできる。さらに、本ペンケースの用途も、ゼムクリップの携行に限らず、ステープラーやホチキス針などの鉄製品を磁石に付着させて携行することも可能であり、これら本実施形態とは別の形態での実施についても、本考案の技術的範囲に含まれるものと解する。
【符号の説明】
【００１４】
１    ペンケース本体
２    磁石
３    ゼムクリップ
４    ケース内収容物
５    ファスナー
【図１】
0003214663.tif 000003
【図２】
0003214663.tif 000004
【図３】
0003214663.tif 000005
【図４】
0003214663.tif 000006
【図５】
0003214663.tif 000007
(57)【要約】      （修正有）【課題】家庭に出る虫を触手せずに捕獲して、容易に他の場所に移動する事ができる虫捕獲器を提供する。【解決手段】断面が円型で虫が見える透明もしくは半透明な虫捕獲器本体１の底部が開放されていて、底部周辺部コーナー３が虫を捕獲する際に変形しない様に丸みを帯びている構造で、その上に片側が抜け落ちしない様に折り曲げた４平板５を差し込む切り込み穴６を設けて、常に捕獲器本体１と平板５はセットされている構成で、いつでも手が届く所に置けて素早く虫を捕獲することができる様にした。【選択図】図５
0003214803.tif 000002
【実用新案登録請求の範囲】
【請求項１】
虫捕獲器本体断面が円型で、底部が開放されていて、底部周辺部コーナーに丸みを帯びている構造で、底部の開閉手段として、虫捕獲器本体に平板を差し込む切り込み穴を設け、片側が抜け落ちない様に折り曲げてある平板を差し込み、常に捕獲器と平板はセットされている構成を特徴とする虫捕獲器。
【考案の詳細な説明】
【技術分野】
【０００１】この考案は、家庭に出る虫を触手せずに捕獲して、他の場所に移動する事ができる様にした虫捕獲器を提供する。
【背景技術】
【０００２】従来は、虫の捕獲器の底部に捕獲した後に分離可能な平板で形成された開閉手段を設けた技術があるが、本考案の具体的な開閉手段は捕獲器の底部ではなく捕獲器本体切り欠き部に平板を差し込んで虫を捕獲して移動できる捕獲器を考案した。
【考案の概要】
【考案が解決しようとしている課題】
【０００３】家庭内で偶然虫を発見してから早く対応しないと逃げられてしまうので捕獲するまでの猶予時間が無く、素早く触手することなく処理する必要がある。捕獲するのに身の回りにある紙コップ等で虫を覆いかぶせて捕獲する所までは良いが、その後捕獲して移動できる手段として平板や紙を捕獲器底面と床とか壁の間に差し込むがなかなか困難な作業である。差し込む平板や紙もすぐには用意できない問題点があった。また、捕獲器本体も常に机の上とかすぐに手に取ることができて、手の平に入る大きさで、軽量な虫捕獲器で捕獲でき虫を移動できることを容易にする。
【課題を解決するための手段】
【０００４】虫捕獲器本体は手の平に入る大きさで、断面が円型で虫が見える透明もしくは半透明な虫捕獲器本体（１）の底部（２）が開放されていて、底部周辺部コーナー（３）が虫を捕獲する際に変形しない様に丸みを帯びている構造で、その上に片側が抜け落ちしない様に折り曲げた（４）平板（５）を差し込む切り込み穴（６）を設けて、常に捕獲器本体（１）と平板（５）はセットされている構成で、いつでも手が届く所に置けて素早く虫を捕獲することができ移動できる事を容易にした。
【考案の効果】
【０００５】家庭内で偶然発見する虫を触手することなく、逃げてしまう前に迅速に捕獲できて、捕獲した虫を容易にセットされている平板で底部を閉めて移動する事ができる。また、平板が抜け落ちしないために平板の片側を折り曲げた所を指でつまむ事により、迅速に虫を平板の上にすくいながらスライドさせて閉じる事ができる効果がある。また、スプレー式殺虫剤を噴霧口（７）から噴射して殺虫する事ができ、平板を開放して虫の廃棄もできる。
【図面の簡単な説明】
【０００６】
【図１】本考案の平面図である。
【図２】本考案の立面図である。
【図３】本考案の断面図である。
【図４】本考案の底面図である。
【図５】本考案の使用状態を示す斜視図である。
【符号の説明】
【０００７】１  虫捕獲器本体
２  底部
３  底部周辺部コーナー
４  折り曲げ
５  平板
６  切り込み穴
７  スプレー式殺虫剤噴霧口
【図１】
0003214803.tif 000003
【図２】
0003214803.tif 000004
【図３】
0003214803.tif 000005
【図４】
0003214803.tif 000006
【図５】
0003214803.tif 000007
(57)【要約】      （修正有）【課題】高齢者にも簡単に尿もれパットが装着でき、尿もれを気にせず快適に過ごせる紳士用のちょい漏れパンツを提供する。【解決手段】パンツＡの前身頃２の長さより約４ｃｍ短い生地を、ゴムベルト１から、前身頃２、後身頃３の縫合部に縫い付け、尿もれパットを仮おさえできる、約１．５ｃｍのゴムバンド５を内側に縫い付けたメリヤス生地４の左右方向に取り付けた。【選択図】図１
0003214809.tif 000002
【実用新案登録請求の範囲】
【請求項１】
パンツ（Ａ）の前身頃（２）の長さより、約４ｃｍ短いメリヤス生地（４）をゴムベルト（１）から、前身頃（２）、後身頃（３）の縫合部に縫い付け、尿もれパット（６）を仮おさえできる、約１．５ｃｍのゴムバンド（５）を内側に縫い付けたメリヤス生地（４）の左右に取り付けたことを特徴としたゴムバンド付き紳士用のちょい漏れパンツ。
【考案の詳細な説明】
【技術分野】
【０００１】  本考案は紳士用ちょい漏れパンツ着用時の快適さと、尿もれパット装着したパンツをスムーズに着用するためにパンツを改良したゴムバンド付き紳士用のちょい漏れパンツに関するものである。
【背景技術】
【０００２】  従来の尿もれパット使用ちょい漏れパンツでは簡単に着用が難しく、安定して快適に過ごせるものはなかった。
【先行技術文献】
【特許文献】
【０００３】
【特許文献１】特開２０１０−０１８９２１号公報
【考案の概要】
【考案が解決しようとする課題】
【０００４】（イ）従来のちょい漏れパンツは、フィット感がなくずれてしまい、快適さに欠ける。
（ロ）高齢者には、ちょい漏れパンツに尿もれパットを付け着用することがスムーズにいかない。
本考案は、以上のような欠点をなくすためになされたものである。
【課題を解決するための手段】
【０００５】（イ）パンツ（Ａ）の前身頃（２）の長さより、約４ｃｍ短い生地をゴムベルト（１）から、前身頃（２）、後身頃（３）の縫合部に縫い付ける。
（ロ）尿もれパット（６）を仮おさえできる、約１．５ｃｍのゴムバンド（５）を内側に縫い付けた生地の左右に取り付ける。
【考案の効果】
【０００６】（イ）パンツ（Ａ）の前身頃（２）と約４ｃｍ短い生地との間に空間ができ心地よく、尿もれパット（６）も男性局部にフィットし、ずれる心配もなく快適にすごせる。
（ロ）パンツ（Ａ）に尿もれパット（６）を貼り付け、立った状態で着用する際に尿もれパット（６）がずれ落ちてしまい、何度も付け直さなければならなかったが、内部生地の中央に左右、約１．５ｃｍのゴムバンド（５）を取り付けることで、尿もれパット（６）の仮おさえができ、スムーズに着用が可能になった。
（ハ）使用した、尿もれパット処分後は、パンツに尿臭さはなく、他の洗濯物と一緒に洗濯ができ、乾きも速い。
（ニ）尿もれパットを使用することで、頻繁にトイレに行かずにすみ、放尿回数が減り、睡眠時間も確保できる。
【図面の簡単な説明】
【０００７】
【図１】  本考案の裏側のパンツの正面図である。
【図２】  本考案の裏側の生地取り付けの斜め段面図である。
【図３】  本考案の正面メリヤス生地にパットを装着した正面図である。
【考案を実施するための形態】
【０００８】  以下、本考案を実施するための形態について説明する。
（イ）パンツ（Ａ）の前身頃（２）の長さより、約４ｃｍ短い生地をゴムベルト（１）から、前身頃（２）、後身頃（３）の縫合部に縫い付ける。
（ロ）尿もれパット（６）を仮おさえできる、約１．５ｃｍのゴムバンド（５）を内側に縫い付けた生地の左右に取り付ける。
さらに、具体的な内容の実施例を説明する。
男性局部にあてる生地はメリヤス（かのこ織り）を使用する。
メリヤス（かのこ織り）は伸縮性や通気性にとみ、約４ｃｍ短い寸法のメリヤス生地（４）をゴムベルト（１）から前身頃（２）、後身頃（３）の縫合部に縫い付けることで、パンツ（Ａ）の表生地との間に空間ができ、通気性が良く、尿もれパット（６）も男性局部にフィットし、高度な快適さを提供できる。
尿もれパット（６）を貼り付けパンツ（Ａ）を着用する際に、まだ体温に触れていないため尿もれパット（６）がしっかりパンツ（Ａ）に付着してはおらず、床に直に座して着用するには不衛生のため、立った状態で足をパンツ（Ａ）に通すときに尿もれパット（６）に足が触れ、尿もれパット（６）が簡単に外れてしまう。
そのため、約１．５ｃｍのゴムバンド（１）をメリヤス生地（４）の中央に左右に縫い付けることで、尿もれパット（６）の仮おさえができ、安定してちょい漏れパンツ（Ａ）を着用することができる。
本考案は、以上のような内容である。
本考案を使用するときは、高齢者の方にも立った状態でも貼り付けた尿もれパット（６）を落とす心配なくパンツ（Ａ）を着用でき、尿もれをも心配せずに快適に過ごすことができる。
一般的な紳士用パンツに尿もれパットを付けて着用したところ、尿もれパットの位置が安定せず、思ったような効果が得られなかったため、パンツ（Ａ）の前身頃（２）に約４ｃｍ短い伸縮性のあるかのこ織りのメリヤス生地（４）をゴムベルト（１）と前身頃（２）、後身頃（３）の縫合部に縫い付け、そのことによって前身頃との間に空間ができるため、通気性にとみ、尿もれパット（６）と男性局部が一体となってフィット感に優れた。
また、メリヤス生地（４）の中央に約１．５ｃｍの平ゴムを左右に縫い付けることで、パンツ（Ａ）の着用時に貼り付けた尿もれパット（６）を落としてしまうことなく、立った状態でスムーズにちょい漏れパンツを着用できる。
さらに着用後も、尿もれパットのずれが一切なく、尿もれをも心配せずに快適に過ごすことができる。
【符号の説明】
【０００９】    Ａ  パンツ
１  ゴムベルト
２  前身頃
３  後身頃
４  メリヤス生地
５  ゴムバンド
６  尿もれパット
【図１】
0003214809.tif 000003
【図２】
0003214809.tif 000004
【図３】
0003214809.tif 000005
(57)【要約】      （修正有）【課題】手帳やノート等（以下、帳面類）の表および裏表紙に取り付けることで、１動作で筆記具を収納および携帯可能とし、かつ帳面類の不用意な開きを防ぐペンホルダーを提供する。【解決手段】表表紙用と裏表紙用の部品のセットで構成される。表表紙用部品は、ポリプロピレンを軽く半分に折って両端を接着し、輪を潰す。輪でない一端の片側に両面テープを貼る。裏表紙用部品は、ポリプロピレンの中心よりやや外側の位置に、スポンジの面取りしてない側を貼り付け、スポンジが内側になるように軽く半分に折って、両端を接着する。筆記具を引っ掛ける空間を作るため、輪は潰さない。輪ではない一端の外側（スポンジがついていない方）に両面テープを貼る。帳面類の表および裏表紙の開閉側にそれぞれ貼り付ける。【選択図】図９
0003214804.tif 000002
【実用新案登録請求の範囲】
【請求項１】
表および裏表紙に取り付ける部品の組合わせであって、手帳やノート等（以下、帳面類）を閉じた際に、裏表紙に取り付ける部品に筆記具を引っ掛けることにより、表表紙に取り付けた部品が筆記具によって押さえられ、帳面類の表および裏表紙がロックされる(開かなくなる)ことを特徴とする後付けのペンホルダー。
【考案の詳細な説明】
【技術分野】
【０００１】
本考案は、手帳やノート等（以下、帳面類）に取り付けて、筆記具を収納および携帯可能にし、かつ帳面類が閉じた状態を保持する、ロック機能がついた後付けのペンホルダーに関するものである。
【背景技術】
【０００２】
ロック機能つきの後付けペンホルダーはゴムバンド式やスナップ式が一般的である。
【考案の概要】
【考案が解決しようとする課題】
【０００３】
従来の技術の有する課題は次の通りである。
ゴムバンド式のものは、ゴムの長さによって使える帳面類の大きさが制限される、ゴムの取り外しに手数がかかる、取り外したゴムを紛失する可能性があるなどの課題があった。
【０００４】
スナップ式のものは、取り付けた際にスナップの凹凸が影響し、薄手の帳面類では書きにくくなるという課題があった。
【０００５】
ペンホルダーは、ペンの抜き差しに手数がかかる、ペンホルダーの径によって使用できる筆記具の軸の太さが制限される等の課題があった。
【課題を解決するための手段】
【０００６】
本考案は従来の技術の有する課題に鑑みてなされたものであり、その目的とするところは次の通りである。
１動作で筆記具の収納および携帯を可能とし、かつ帳面類の不用意な開きを防ぐ。
【０００７】
一般的なペンホルダーやゴム式ロックによる各制限を解消する。
【０００８】
使用ならびに取扱いを至便にする。
【考案の効果】
【０００９】
表表紙用部品と裏表紙用部品をそれぞれ帳面類に貼り付け、帳面類を閉じ、表側から裏表紙用部品に筆記具を引っ掛けることにより、表表紙用部品が筆記具によって押さえられ、帳面類が閉じた（ロックされた）状態を保持できる。
【図面の簡単な説明】
【００１０】
【図１】実施例００１１に対応
【図２】実施例００１２に対応
【図３】実施例００１２に対応
【図４】実施例００１２に対応
【図５】実施例００１３に対応
【図６】実施例００１４に対応
【図７】実施例００１４に対応
【図８】実施例００１４に対応
【図９】実施例００１３、００１４、および要約書の選択図に対応
【図１０】実施例００１３、００１４に対応
【図１１】実施例００１５に対応
【図１２】実施例００１５に対応
【図１３】実施例００１５に対応
【図１４】実施例００１５に対応
【図１５】実施例００１６に対応
【図１６】実施例００１６に対応
【図１７】実施例００１６に対応
【図１８】実施例００１６に対応
【図１９】実施例００１６に対応
【図２０】実施例００１６に対応
【図２１】実施例００１６に対応
【実施例】
【００１１】
以下本考案の実施例について説明する。
ポリプロピレンを2枚（表および裏表紙用）裁断する（図１)。
【００１２】
スポンジを裁断する。使用時の耐久性をあげるため両端を面取りする（図２、図３、図４）。
【００１３】
表表紙用部品は、ポリプロピレンを軽く半分に折って両端を接着し、輪を潰す（図５）。輪でない一端の片側に両面テープを貼る（図９、図１０）。
【００１４】
裏表紙用部品は、ポリプロピレンの中心よりやや外側の位置に、スポンジの面取りしてない側を貼り付け（図６）、スポンジが内側になるように軽く半分に折って、両端を接着する（図７）。筆記具を引っ掛ける空間を作るため、輪は潰さない（図８）。
輪ではない一端の外側（スポンジがついていない方）に両面テープを貼る（図９、図１０）。
【００１５】
帳面類の表および裏表紙の開閉側（背表紙ではない側）に貼り付ける。貼り付ける際は、筆記具が引っ掛かるように、各部品は帳面類の開閉部より外側にだす。上部は裏表紙用部品より表表紙用部品を下にずらす（図１１〜１４）。
【００１６】
B５サイズでの使用例である（図１５〜２１）。
【産業上の利用可能性】
【００１７】
部品を帳面類の表および裏表紙に貼り付けるだけで、簡単にバタフライロック機能とペンホルダーを追加できる。
【００１８】
筆記具をペンホルダーに引っ掛けるだけなので、使用ならびに取扱が至便である。
【００１９】
裏表紙用部品に取り付けたスポンジと、表表紙用部品によって支えられるので、筆記具は引っ掛けるだけで安定した状態で携帯できる。
【００２０】
構成が非常に簡単なので、コスト的に有利なロック機能つき後付けペンホルダーを提供できる。
【図１】
0003214804.tif 000003
【図２】
0003214804.tif 000004
【図３】
0003214804.tif 000005
【図４】
0003214804.tif 000006
【図５】
0003214804.tif 000007
【図６】
0003214804.tif 000008
【図７】
0003214804.tif 000009
【図８】
0003214804.tif 000010
【図９】
0003214804.tif 000011
【図１０】
0003214804.tif 000012
【図１１】
0003214804.tif 000013
【図１２】
0003214804.tif 000014
【図１３】
0003214804.tif 000015
【図１４】
0003214804.tif 000016
【図１５】
0003214804.tif 000017
【図１６】
0003214804.tif 000018
【図１７】
0003214804.tif 000019
【図１８】
0003214804.tif 000020
【図１９】
0003214804.tif 000021
【図２０】
0003214804.tif 000022
【図２１】
0003214804.tif 000023